(57)【特許請求の範囲】
【請求項１】
エレベータの乗場の建屋壁に設けられた開口部に、縦枠と横枠からなる三方枠を取り付けるための三方枠取付具であって、
前記建屋壁の側に取り付けられる壁側取付部材と、三方枠側に取り付けられる三方枠側取付部材と、で構成され、
前記壁側取付部材は、長尺片とこの長尺片と直交し、かつ長尺片よりも短尺に形成された短尺片とからＬ字状に曲げ形成され、前記長尺片には前記建屋壁に取り付けるための左右調整用長孔が穿設され、前記短尺片には前記三方枠側取付部材を取り付けるための前後調整用孔が穿設されており、
前記三方枠側取付部材は、三方枠取付片とこの三方枠取付片と直交する金具取付片とからＬ字状に曲げ形成され、かつ、前記三方枠取付片には前記三方枠を取り付けるための取付孔が穿設され、前記金具取付片には前記壁側取付部材の前記短尺片を締結するための前後調整用孔が穿設されている三方枠取付具。
【請求項２】
前記三方枠と前記三方枠側取付部材の三方枠取付片との締結及び前記壁側取付部材の短尺片と前記三方枠側取付部材の金具取付片との締結には角根丸頭ボルトを使用する、請求項１に記載の三方枠取付具。
【請求項３】
前記三方枠取付片に穿設される取付孔は乗場敷居と平行する方向に長い長孔である請求項１又は２に記載の三方枠取付具。
【請求項４】
前記三方枠側取付部材の前記曲げ形成された部分には、締結ボルトを組み込んだ壁側取付部材の短尺片を、三方枠側取付部材に昇降路側から差し込むための差し込み用孔が設けられている、請求項1〜３の何れか１項に記載の三方枠取付具。
【請求項５】
前記壁側取付部材の曲げ形成された部分には、工具を挿入可能とする工具アクセス用孔が形成されている、請求項１〜４の何れか１項に記載の三方枠取付具。
【請求項６】
前記壁側取付部材の長尺片に形成される左右調整用長孔は、長手方向に２本有り、各長孔は、前記三方枠側取付部材の金具取付片と前記壁側取付部材の短尺片とが締結される締結点に対して上下対称な位置に配置されている請求項１〜５の何れか1項に記載の三方枠取付具。
【請求項７】
前記壁側取付部材と三方枠側取付部材とは、それぞれ曲げ部を切り起こし形状とすることで壁側取付部材の短尺片と三方枠側取付部材の金具取付片との接触面を拡大して取り付けの際の調整代を確保する、請求項１〜６の何れか１項に記載の三方枠取付具。
【請求項８】
請求項１〜７の何れか1項に記載の三方枠取付具を使用してエレベータの乗場敷居に三方枠を取り付ける三方枠取付方法であって、
三方枠を乗場敷居上に立設させ、
三方枠上部の横枠の両端に三方枠側取付部材を取り付け、ボルトにて固定し、
壁側取付部材は、前記短尺片に締結ボルトを組み込んだ状態で、前記三方枠側取付部材の曲げ形成部分に設けられた差し込み用孔に差し込み、長尺片を建屋壁に押し当てボルトにて仮固定し、
壁側取付部材の長尺片に設けられた左右調整用長孔にて三方枠の左右調整を行って壁側取付部材を建屋壁に固定し、
壁側取付部材の前後調整用孔と三方枠側取付部材の前後調整用長孔との締結部の締結位置の前後調整を行って固定し、
このとき、建屋壁と三方枠の前後方向の間隔が狭く壁側取付部材の前後調整用孔と三方枠側取付部材の前後調整用長孔の調整代が不足する場合は、壁側取付部材の取付向きを反転することで調整する、三方枠取付方法。
【発明の詳細な説明】
【技術分野】
【０００１】
本発明の実施形態は、エレベータの三方枠取付具及び三方枠取付方法に関する。
【背景技術】
【０００２】
エレベータの三方枠は、乗場の建屋壁に設けられた開口部（エレベータのドア開口部）に取り付けられる。三方枠は、建屋の躯体条件に合わせて、各階床のドア開口部における左右、前後、及び上下の位置出しを行って取り付けられる。このため、三方枠の取付作業は多くの時間を要する。また、建屋の躯体条件は、建物、階床ごとに異なり、三方枠と躯体との間では、部材の組み合わせ方や接続の仕方等の取り合いを調整する必要がある。
【０００３】
従来、三方枠の取付に際しては、三方枠と躯体との取り合いを取り付け現場で適宜判断し、取り付けには鉄筋等で溶接固定する場合が多い。
【先行技術文献】
【特許文献】
【０００４】
【特許文献１】実公平２−１３３５号公報
【特許文献２】特許第２５６３００５号
【発明の概要】
【発明が解決しようとする課題】
【０００５】
しかし、三方枠の取り付けを溶接で行うには溶接準備に時間を要し、かつ溶接技術を必要とするので、取り付けに要する時間が増大してしまうという課題がある。
【０００６】
溶接を用いない三方枠取付具を使用する従来技術もある。しかし、三方枠と躯体との隙間や昇降路側の使用可能なスペースが限られていることから、乗場側にブラケットやボルト類が突出する構造であるため、乗場意匠に制約があるといった問題点がある。特に、乗場側の仕上壁等は顧客の仕様に合わせて条件が大きく異なるため、エレベータ工事にて乗場側の建屋壁を調整、管理することはできない。
【０００７】
本発明は上記事情に鑑み、溶接作業を不要とし、三方枠の位置出し及び固定作業を容易に行うことができるエレベータの三方枠取付具及び三方枠取付方法を提供することを目的とする。
【課題を解決するための手段】
【０００８】
上記の目的を達成するための態様は、エレベータの乗場の建屋壁に設けられた開口部に、縦枠と横枠からなる三方枠を取り付けるための三方枠取付具であって、前記建屋壁の側に取り付けられる壁側取付部材と、三方枠側に取り付けられる三方枠側取付部材と、で構成され、前記壁側取付部材は、長尺片とこの長尺片と直交し、かつ長尺片よりも短尺に形成された短尺片とからＬ字状に曲げ形成され、前記長尺片には前記建屋壁に取り付けるための左右調整用長孔が穿設され、前記短尺片には前記三方枠側取付部材を取り付けるための前後調整用孔が穿設されており、前記三方枠側取付部材は、三方枠取付片とこの三方枠取付片と直交する金具取付片とからＬ字状に曲げ形成され、かつ、前記三方枠取付片には前記三方枠を取り付けるための取付孔が穿設され、前記金具取付片には前記壁側取付部材の前記短尺片を締結するための前後調整用孔が穿設されていることを特徴とする三方枠取付具である。
【０００９】
また、他の態様は、三方枠取付具を使用してエレベータの乗場敷居に三方枠を取り付ける三方枠取付方法であって、三方枠を乗場敷居上に立設させ、三方枠上部の横枠の両端に三方枠側取付部材を取り付け、ボルトにて固定し、壁側取付部材は、前記短尺片に締結ボルトを組み込んだ状態で、前記三方枠側取付部材の曲げ形成部分に設けられた差し込み用孔に差し込み、長尺片を建屋壁に押し当てボルトにて仮固定し、壁側取付部材の長尺片に設けられた左右調整用長孔にて三方枠の左右調整を行って壁側取付部材を建屋壁に固定し、壁側取付部材の前後調整用孔と三方枠側取付部材の前後調整用長孔との締結部の締結位置の前後調整を行って固定し、このとき、建屋壁と三方枠の前後方向の間隔が狭く壁側取付部材の前後調整用孔と三方枠側取付部材の前後調整用長孔の調整代が不足する場合は、壁側取付部材の取付向きを反転することで調整することを特徴とする三方枠取付方法である。
【図面の簡単な説明】
【００１０】
【図１】実施形態に係る三方枠を乗場敷居に取り付けた状態を示す正面図。
【図２】図１のＣ−Ｃ線の断面構成を示す平面図。
【図３】第１実施形態に係る三方枠取付具の壁側取付部材の外観構成を示す斜視図。
【図４】第１実施形態に係る三方枠取付具の三方枠側取付部材の外観構成を示す斜視図。
【図５】実施形態に係る三方枠取付方法の処理手順を示すフローチャート。
【図６】三方枠側取付部材を三方枠に取り付けた状態を示す斜視図。
【図７】壁側取付部材の前後調整用孔に角根丸頭ボルトを取り付ける状態を示す斜視図。
【図８】角根丸頭ボルトを取り付けた壁側取付部材を三方枠側取付部材に取り付ける手順を示す斜視図。
【図９】三方枠側取付部材と壁側取付部材とを取り付けた状態で、壁側取付部材の左右調整処理を示す斜視図。
【図１０Ａ】三方枠側取付部材と壁側取付部材とを取り付けた状態で、壁側取付部材の前後調整処理を示す斜視図。
【図１０Ｂ】図１０Ａの平面図。
【図１１Ａ】三方枠側取付部材に対して壁側取付部材を裏表を逆にして取り付けた状態を示す斜視図。
【図１１Ｂ】図１１Ａの平面図。
【図１２】工具アクセス用孔を利用して三方枠側取付部材に対して壁側取付部材を取り付ける処理を示す斜視図。
【図１３】三方枠側取付部材を角根丸頭ボルトを使用して締結する処理を示す斜視図。
【図１４】三方枠側取付部材に形成された長孔に対して角根丸頭ボルトを使用して締結する処理を示す斜視図。
【図１５】三方枠側取付部材に形成された長孔に対して角根丸頭ボルトを使用して締結する際の左右調整の処理を示す斜視図。
【発明を実施するための形態】
【００１１】
図１に示すように、エレベータの乗場の建屋壁１には、出入口用の開口部２が設けられ、この開口部には、横枠３と縦枠４にて構成される三方枠５が据付けられる。三方枠５は、全階床共通の基準点に合わせて、階床ごとに左右位置、前後位置を調整して取り付けられる。また、開口部２は建屋により躯体条件が異なるほか、同じ建屋であっても階床によって建屋壁１と三方枠５の位置関係が±15mm程度、異なる。そのため従来は、各階の躯体条件に合わせて自由に三方枠５の位置を調整し、固定できるように、鉄筋等の溶接片を用いて三方枠５と建屋壁１とを溶接固定する場合が多い。しかし、溶接固定するまで三方枠５の位置が定まらず、三方枠５の前後・左右調整と固定作業とを同時に行う必要があり、三方枠５の取付には技術と時間を要していた。
【００１２】
本実施形態では、溶接作業を不要とし、三方枠の位置出し及び固定作業を容易行うことができるエレベータの三方枠取付具及び三方枠取付方法を提供する。
【００１３】
＜第１実施形態＞
第１実施形態について、図２〜図１１を参照にして説明する。
【００１４】
図２に示すように、実施形態に係る三方枠取付具は、建屋壁１に取り付けられる壁側取付部材１１と、三方枠５に取り付けられる三方枠側取付部材１２とで構成されている。
【００１５】
壁側取付部材１１は、長尺片１１ａとこの長尺片１１ａと直交し、かつ長尺片１１ａよりも短尺に形成された短尺片１１ｂとからＬ字状に形成されている。三方枠側取付部材１２は、三方枠取付片１２ａとこの三方枠取付片１２ａと直交する金具取付片１２ｂとからＬ字状に形成されている。
【００１６】
三方枠５と三方枠側取付部材１２の三方枠取付片１２ａとは締結ボルト１３及び締結ナット１３ｎによって締結される。また、三方枠側取付部材１２の金具取付片１２ｂと壁側取付部材１１の短尺片１１ｂとは締結ボルト１４及び締結ナット１４ｎによって締結される。さらに、壁側取付部材１１の長尺片１１ａは締結ボルト１５によって建屋壁１に取り付けられる。
【００１７】
図３に示すように、壁側取付部材１１の長尺片１１ａには建屋壁１に取り付けるための左右調整用長孔１６が穿設され、短尺片１１ｂには三方枠側取付部材１２を取り付けるための長孔である前後調整用孔１７が穿設されている。
【００１８】
左右調整用長孔１６は、長尺片１１ａの長手方向に同一長さで２本、形成されている。これら２本の左右調整用長孔１６は、前後調整用孔１７（三方枠側取付部材１２の金具取付片１２ｂと壁側取付部材１１の短尺片１１ｂとが締結される締結点）に対して上下対称な位置に配置されている。その理由は、壁側取付部材１１を裏表反転して取り付ける際に反転前と同一点に締結ボルト１５を施工することができるからである。これにより反転時に、締結ボルト打ち込み用の下孔を開け直す必要がなく、作業時間を短縮することができる。
【００１９】
さらに、壁側取付部材１１の曲げ形成部分には工具アクセス用孔１８が形成されている。この工具アクセス用孔１８から工具を挿入することができるので、作業員は、締結ナット１４ｎのナット締め作業を片手により行うことができ、作業効率が向上する（図１２参照）。
【００２０】
また、図４に示すように、三方枠取付片１２ａには、三方枠５を取り付けるための取付孔１９が穿設され、金具取付片１２ｂには短尺片１１ｂを取り付けるための前後調整用長孔２０が穿設されている。さらに、三方枠側取付部材１２の曲げ形成部分には、金具差し込み用孔２１が形成されている。
【００２１】
実施形態に係る三方枠取付方法では、建屋壁１側に壁側取付部材１１、三方枠５側に三方枠側取付部材１２をそれぞれ取付け、三方枠５の左右・前後の位置調整を締結部の左右調整用長孔１６及び前後調整用孔１７にて個別に行い、建屋壁１と三方枠５を締結ボルト１５にて固定する。これにより、溶接作業を不要とし、三方枠５の位置出し及び固定作業を容易に行うことができ、作業性が向上して取付時間を短縮することができる。
【００２２】
次に、上述した実施形態の三方枠取付具を使用してエレベータの乗場敷居６に三方枠５を取り付ける三方枠取付方法について図５以下の図面を参照して説明する。
【００２３】
図５は三方枠取付方法の処理手順を示すフローチャートである。先ず、横枠３間に設置された一対の縦枠４から成る三方枠５をホールシル（乗場敷居）６上に垂直に取り付ける（ステップＳ１）。
【００２４】
次いで、図６に示すように、三方枠５上部の横枠３の両端に三方枠５側の取付具である三方枠側取付部材１２を取り付け、締結ボルト１３を取付孔１９（図4参照）に通して締結ナット１３ｎにて固定する（ステップＳ２）。
【００２５】
次いで、図７〜図９に示すように、壁側取付部材１１は締結ボルト１４（角根丸頭ボルト１４Ａ）を前後調整用孔１７に組み込んだ状態で、三方枠側取付部材１２の曲げ部分に形成された金具差し込み用孔２１に差し込む。そして、長尺片１１ａを昇降路の建屋壁１に押し当てボルト１５（ドリルねじ、アンカーボルト等）にて仮固定する（ステップＳ３、Ｓ４）。
【００２６】
次に、図９に示すように、長尺片１１ａに形成された左右調整用長孔１６にて三方枠５の左右の位置調整を行い固定する（ステップＳ５）。
【００２７】
次いで、図１０Ａ、図１０Ｂに示すように、壁側取付部材１１の前後調整用孔１７と三方枠側取付部材１２の前後調整用長孔２０とを貫通する締結ボルト１４を前後方向に移動調整することで、三方枠５の前後調整を行い固定する（ステップＳ６、Ｓ７）。
【００２８】
ところで、建屋壁１の位置は、建物のよってバラツキがあり、同じ建物であっても階ごとにバラツキがある。建屋壁１と三方枠５の前後方向の間隔が狭く、壁側取付部材１１の前後調整用孔１７と三方枠側取付部材１２の前後調整用長孔２０との調整代（Ｌ１，Ｌ２）が不足する場合は、壁側取付部材１１の取付向きを反転させることで調整が可能である。すなわち、図１０Ａに示すように、三方枠側取付部材１２の三方枠取付片１２ａと建屋壁１の壁面との距離の大小によって、壁側取付部材１１をそのまま使用するか、取付向きを反転させるかを選択する。図１０Ｂに示す場合は、調整代Ｌ１が不足しておらず、通常の状態で取り付けた例である。図１１Ａ、図１１Ｂに示す場合は、調整代Ｌ２が不足して、壁側取付部材１１を反転して取り付けた例である。
【００２９】
また、締結ボルト１４により締結する際には、三方枠側取付部材１２に形成された金具差し込み用孔２１から、締結ボルト１４（角根丸頭ボルト１４Ａ）を取り付けた壁側取付部材１１を昇降路側から差し込むことで、容易に取り付けることができる。
【００３０】
図３、図１２等に示すように、壁側取付部材１１に形成された工具アクセス用孔１８から工具を挿入することで、締結ナット１４ｎのナット締め作業をする際、作業員は片手により行うことができ、作業効率が向上する。また、壁側取付部材１１を反転して取り付ける場合であっても、昇降路側から締結ナット１４ｎに工具２２をアクセスできるので、作業性が向上する。一般的に建屋壁１と三方枠５との間隔は狭く、建屋壁１と三方枠５との間に工具２２や手を入れて作業することは困難であるが、本実施形態は昇降路側から作業ができるため、作業性を損なうことなく、取付時間を短縮することができる。
【００３１】
さらに、図７に示すように、壁側取付部材１１と三方枠側取付部材１２との締結には角根丸頭ボルト１４Ａを使用することで、昇降路側から片側施工とすることで、建屋壁１と三方枠５との間隔が狭い場合でも、工具２２を問題なく使用することができる。また角根丸頭ボルト１４Ａを使用することで、図３、図１０Ａ等に示すように、壁側取付部材１１の締結孔を長孔（左右調整用長孔１６）とし、また、三方枠側取付部材１２の締結孔を長孔２３（図１４参照）とすることができるため、壁側取付部材１１及び三方枠側取付部材１２の形状を大きくしなくても、十分な調整代を確保することができる。
【００３２】
図４、図１３に示すように、三方枠側取付部材１２には、壁側取付部材１１を昇降路側から容易に取り付けられるよう曲げ部に金具差し込み用孔２１が形成されている。また、締結ボルト１４との接触面を大きく設け、前後調整用孔１７の調整代を確保するため、切り起こし形状としている。これより、三方枠５の前後調整時に壁側取付部材１１を反転させる際に締結ボルト１４を取り外す必要がなく、作業時間を短縮することができる。
【００３３】
壁側取付部材１１は、図８に示すように建屋壁１との締結用の左右調整用長孔１６を同一長さで上下に２点設けており、壁側取付部材１１を反転して取り付ける際に反転前と同一点に締結ボルト１５（ドリルねじ・アンカーボルト）を施工することができる。これより反転時に、締結ボルト打ち込み用の下孔を開け直す必要がなく、作業時間を短縮することができる。また、躯体条件によって締結ボルト１５の打ち込み位置を上下・左右方向に変更することも可能である。
【００３４】
＜他の実施形態＞
前述したステップＳ２の処理では、三方枠５上部の横枠３の両端に三方枠５側の取付具である三方枠側取付部材１２を取り付け、締結ボルト１３を取付孔１９に通して締結ナット１３ｎにて固定するようにした。この場合、図１３に示すように、締結ボルト１３として、角根丸頭ボルト１３Ａを使用し、取付孔１９を角孔で構成すると好適である。角孔で構成した取付孔１９に角根丸頭ボルト１３Ａを挿入しておけば、取付孔１９から角根丸頭ボルト１３Ａが抜け落ちることなく、昇降路側から容易に角根丸頭ボルト１３Ａと締結ナット１３ｎによってボルト締めができ、取付作業を効率よく行うことができる。
【００３５】
また、図１４に示すように、三方枠５との締結に角根丸頭ボルト１３Ａを使用し、かつ、三方枠側取付部材１２の三方枠取付片１２ａに穿設される締結用孔を、乗場敷居と平行する方向に長い長孔２３とする。これにより、図１５に示すように、三方枠側取付部材１２にて左右調整が可能となる。取付手順としては、壁側取付部材１１と締結後（前述したステップＳ３の後）、昇降路側から締結ナット１３ｎを緩め三方枠５の左右調整を行い、固定する。これより、壁側取付部材１１にて左右調整を行うために締結ボルト１５を緩めることや、又は仮止めする必要がなく、作業時間を短縮することができる。また、壁側取付部材１１の左右調整用長孔１６も併せて使用することで、左右調整代を拡大することが可能となる。
【００３６】
＜実施形態の効果＞
以上のように実施形態によれば、建屋・階床毎に異なる躯体条件に合わせて溶接を用いず、かつ昇降路側の限られたスペースで三方枠の位置調整及び固定を行い、三方枠の取付調整時間を短縮することができる。
【００３７】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１…建屋壁、２…開口部、３…横枠、４…縦枠、５…三方枠、６…乗場敷居、１１…壁側取付部材、１１ａ…長尺片、１１ｂ…短尺片、１２…三方枠側取付部材、１２ａ…三方枠取付片、１２ｂ…金具取付片、１３，１４，１５…締結ボルト、１３Ａ，１４Ａ…角根丸頭ボルト、１６…左右調整用長孔、１７…前後調整用孔、１８…工具アクセス用孔、１９…取付孔、２０…前後調整用長孔、２１…金具差し込み用孔、２２…工具、２３…長孔
【要約】
【課題】溶接作業を不要とし、三方枠の位置出し及び固定作業を容易に行うことができるエレベータの三方枠取付具及び三方枠取付方法を提供する。
【解決手段】建屋壁の側に取り付けられる壁側取付部材と、三方枠側に取り付けられる三方枠側取付部材と、で構成され、壁側取付部材は、長尺片とこの長尺片と直交し、かつ長尺片よりも短尺に形成された短尺片とからＬ字状に曲げ形成され、長尺片には建屋壁に取り付けるための左右調整用長孔が穿設され、短尺片には三方枠側取付部材を取り付けるための前後調整用孔が穿設されており、三方枠側取付部材は、三方枠取付片とこの三方枠取付片と直交する金具取付片とからＬ字状に曲げ形成され、かつ、三方枠取付片には三方枠を取り付けるための取付孔が穿設され、金具取付片には壁側取付部材の短尺片を締結するための前後調整用孔が穿設されている。
【選択図】図２【図１】
0006855607.tif 000002
【図２】
0006855607.tif 000003
【図３】
0006855607.tif 000004
【図４】
0006855607.tif 000005
【図５】
0006855607.tif 000006
【図６】
0006855607.tif 000007
【図７】
0006855607.tif 000008
【図８】
0006855607.tif 000009
【図９】
0006855607.tif 000010
【図１０Ａ】
0006855607.tif 000011
【図１０Ｂ】
0006855607.tif 000012
【図１１Ａ】
0006855607.tif 000013
【図１１Ｂ】
0006855607.tif 000014
【図１２】
0006855607.tif 000015
【図１３】
0006855607.tif 000016
【図１４】
0006855607.tif 000017
【図１５】
0006855607.tif 000018